(57)【要約】雄ルアー・コネクタは、どのような標準型の雌ルアーの弁にも取り付けられて、両ルアー間の流路を開く。雄ルアーは、管状ハウジング要素と、ハウジングの内部に入れられてハウジングの中に画定された内側管状部内に延在する弾発性部材と、ハウジングの内側管状部内に延在する弾発性部材と、管状部を密封する弾発性部分に取り付けられた弁部材とから構成されている。雄ルアーが標準型の雌ルアーに係合すると、雌ルアー・コネクタは弾発性部材を圧縮された位置に駆動して、雄ルアーの前端部を開き、両ルアー間における液体の流れを可能にする。
2004537381.tif 000002
【特許請求の範囲】
【請求項１】
前端部を有する管状部と、
対向する後端部および前端部を有する内側管状部の中に延在する弾発性部材と、
前記内側管状部の前端部を密封するための先端を有し、前記弾発性部材の第１の端部と接触する弁部材とを含む雄ルアー装置において、
前記雄ルアー装置が雌ルアー・コネクタに挿入されると、該雌ルアー・コネクタは前記弾発性部材を圧縮された位置へ動かし、それにより雄ルアーの前端部を開き、一方のルアーから他方のルアーへの流れを可能にし、
これによって、前記雄ルアー装置を出る液体は、前記雄ルアーの内側管状部を通る概ね直線の経路を移動し、雌ルアーに入るようになっている雄ルアー装置。
【請求項２】
第１の首状領域と、該第１の首状領域の後方に間隔をおいて位置する第２の首状領域とを更に含む請求項１に記載された雄ルアー装置。
【請求項３】
後端部と開いた前端部とを有する外側管状部を有するハウジングを更に含み、該ハウジングには、前記ハウジングよりも小さい直径を有する内側管状部が含まれる請求項１に記載された装置。
【請求項４】
前記ハウジングが概ね円筒形状を有し、相補的ねじ山を前記雌ルアー・コネクタに係合させるために前記外側管状部の内側表面にねじ山を含む請求項３に記載された雄ルアー装置。
【請求項５】
前記弁部材が弾発性の圧縮可能部を有する請求項２に記載された雄ルアー装置。
【請求項６】
前記弁部材が、先端において、前記内側管状部の前記第１の首状領域を相補する形状になされている請求項５に記載された雄ルアー装置。
【請求項７】
前記弁部材が、前記先端の後方に間隔をおいた位置において、前記内側管状部の第２の首状領域を相補する形状になされており、前記弁部材は密封された状態では前記内側管状部の前端部と実質的に同一平面をなしている請求項６に記載された雄ルアー装置。
【請求項８】
前記弾発性部材が、ばねである請求項５に記載された雄ルアー装置。
【請求項９】
前記弁部材がエラストマー材料で作られている請求項７に記載された雄ルアー装置。
【請求項１０】
前記弾発性部材と前記弁部材とが一体に形成されている請求項１に記載された雄ルアー装置。
【請求項１１】
前記弾発性部材と前記弁部材とがエラストマー材料で作られている請求項１０に記載された雄ルアー装置。
【請求項１２】
前記弁部材が前記弾発性部材の第１の端部に取り付けられている請求項１に記載された雄ルアー装置。
【請求項１３】
管状ハウジングと、内側管状部と、弾発性部材と、弁部材とを含む雄ルアー装置において、
前記管状ハウジングが、近位端部と遠位端部とを有し、雌ルアーが近位端部に係合することができ、
前記内側管状部前記が、ハウジング内に位置付けられて、近位端部と遠位端部とを有し、前記内側管状部の近位端部がハウジングの近位端部を越えて延び、前記内側管状部の近位端部が弁座を含み、
前記弾発性部材が、前記内側管状部内の第１の端部と第２の端部とを有し、該第２の端部が管状部の遠位端と接触しており、前記弾発性部材が、圧縮された後退位置と延長位置との間を移動することができ、
前記弁部材が、前記弾発性部材の第１の端部と接触しており、延長位置において前記弁座と密封係合するように形状づけられた前端部を有し、
前記雄ルアー装置は雌ルアー・コネクタに挿入され、該雌ルアー・コネクタは前記弾発性部材を圧縮位置へ動かして雄ルアーの近位端部を開き、一方のルアーから他方のルアーへの流れを可能にし、
これによって、前記雄ルアー装置を出る液体は、雄ルアーの内側管状部を通って概ね直線の経路を移動し、雌ルアーに入る雄ルアー装置。
【請求項１４】
前記ハウジングが概ね円筒形であって、内部チャンバを画定し、相補的ねじ山を前記雌ルアー・コネクタに係合させるために前記内部チャンバ内の内側胴表面にねじ山を含む請求項１３に記載された雄ルアー装置。
【請求項１５】
前記内側管状部が成形された堅い材料を含む請求項１３に記載された雄ルアー装置。
【請求項１６】
前記弁部材が、前記内側管状部の第１の弁座と相補するためにその前端部に起伏が付けられている請求項１５に記載された雄ルアー装置。
【請求項１７】
前記弁座が、間隔をおいて位置する第１および第２の後退部を含み、前記弁部材の前端部が、第１および第２の後退部を相補するために間隔をおいて起伏が付けられている領域を含む請求項１６に記載された雄ルアー装置。
【請求項１８】
前記弾発性部材と前記弁部材とが一体に形成されている請求項１７に記載された雄ルアー装置。
【請求項１９】
前記弾発性部材と前記弁部材とがエラストマー材料で作られている請求項１８に記載された雄ルアー装置。
【請求項２０】
前記弾発性部分が金属製またはエラストマー製のばねである請求項１３に記載された雄ルアー装置。
【請求項２１】
前記弁部材が前記弾発性部材と係合する後端部を有し、第１の端部と第２の端部との間に弾発性の圧縮可能部を有する請求項１７に記載された雄ルアー装置。
【請求項２２】
前記弁部材が前記弾発性部材の第１の端部に取り付けられている請求項１３に記載された雄ルアー装置。
【請求項２３】
ハウジングと、弾発性部材と、内側管状部材と、弁部材とを含む雄ルアー装置において、
前記弾発性部材が、第１の端部と第２の端部とを有し、弾性的に転置することができ、ハウジング内にあり、
前記内側管状部材が、近位端部と遠位端部とを有し、ハウジングに含まれ、前記ハウジングと前記弾発性部材との間で同軸的に位置し、前記近位端部が、首状領域を作る後退部を含み、
前記弁部材が、前記弾発性部材と接触しており、前記内側管状部材の近位端部を密封し、前記弾発性部材は、前記弁部材が前記内側管状部材の近位端部と密封係合状態にある延長位置と、前記弁部材が前記近位端部から後方に後退した後退位置との間で可動であり、
前記雄ルアー装置は雌ルアー・コネクタに挿入され、該雌ルアー・コネクタは前記弾発性部材を圧縮位置へ動かして雄ルアーの近位端部を開き、一方のルアーから他方のルアーへの流れを可能にし、
これによって、前記雄ルアー装置を出る液体は前記雄ルアーの内側管状部を通じて概ね直線の経路を移動し、雌ルアーに入る雄ルアー装置。
【請求項２４】
前記ハウジングが概ね円筒形状を有し、相補的ねじ山を前記雌ルアー・コネクタに係合させるために内側胴部表面にねじ山を含む請求項２３に記載された雄ルアー装置。
【請求項２５】
前記弁部材が、前記内側管状部を近位端部で密封する球である請求項２４に記載された雄ルアー装置。
【請求項２６】
前記球がエラストマー材料で作られている請求項２５に記載された雄ルアー装置。
【請求項２７】
ハウジングと、第１の管状部材と、弾発性部材と、弁部材と、スリーブとを含む雄ルアー装置において、
前記ハウジングが、第１の直径の外側管状壁を有し、該外側管状壁が後端部と前端部とを有し、
前記第１の管状部材が、ハウジング内で後端部から同軸的に延びて、外側管状壁の前端部を越えて外向きに突き出ており、前記第１の直径より小さな第２の直径を有し、少なくとも１つの軸線方向に延在するスロットと、弁座を有する前端部とを有し、
前記弾発性部材が、第１の管状部材内でハウジングの後端部から延び、前端部を有し、
前記弁部材が、前記弁座と密封係合するための弾発性部材の前端部にあり、弁部材および弾発性部材が、前記管状部材の前端部を密封する延長位置と第１の管状部材の前端部が開いている後退位置との間で可動であり、
前記弁部材が、前記第１の管状部材における前記軸線方向スロットを通じて半径方向外向きに延在する少なくとも１つの案内部を有し、
前記スリーブが、前記第１の管状部材と外側管状壁との間に、前記第１の管状部材に滑り可能に取り付けられて、前記案内部を捕捉し、
雌ルアーが前記雄ルアーに係合されると、雌ルアーのハウジングの前端部が前記スリーブと係合し、スリーブを後方に雄ルアーのハウジングの中に滑らせ、弾発性部材と弁部材とを後方に後退位置へ押し込み、係合した雄ルアーと雌ルアーを通って流体が流れるようになっている雄ルアー装置。
【請求項２８】
ハウジングの外側管状壁が概ね円筒形状を有し、前記外側管状壁は、相補的ねじ山を雌ルアー・コネクタに係合させるために内側にねじ山が切られた表面を有する請求項２７に記載された雄ルアー装置。
【請求項２９】
管状部材と滑りスリーブとが堅い成形されたプラスチックで作られている請求項２８に記載された雄ルアー装置。
【請求項３０】
弾発性部材がエラストマー材料で作られている請求項２９に記載された雄ルアー装置。
【請求項３１】
弾発性部材が、ばねである請求項２９に記載された雄ルアー装置。
【請求項３２】
弾発性部材がハウジングに一体に連結されている請求項２７に記載された雄ルアー装置。
【発明の詳細な説明】
【技術分野】
【０００１】
本発明は、雄ルアーを通じて流路を開くために雌ルアーに取り付ける、改善された雄ルアー・コネクタ装置に関するものである。一旦、ルアーが係合されると、これらの弁は、医療液体流の分野で使用するために、病院において静脈注射（ＩＶ）装置用の接続に使用される。
【背景技術】
【０００２】
ルアー装置は、とりわけ、さまざまな医療分野において使用されており、そこでは、静脈注射に接続されている配管要素に、雄コネクタ部品と雌コネクタ部品とをともに接続することが要望されている。最も普通の形式の静脈注射の流体交換では、ノズルを取り付けた注射器が使用され、ノズルは静脈注射装置に取り付けられた対応する受容器に受け入れられるように設計されている。受容器はしばしば中空管状カニューレまたはポストを有し、それらは、静脈注射の中に挿入されて患者の静脈の中に延びる管路の中に流体を送る。
【０００３】
代表的なルアー接続部では、雌ルアー・コネクタの中に挿入される雄ルアー・コネクタが利用される。雄ルアー・コネクタは雌ルアー・コネクタの対応するねじにねじ込まれて、２つのルアーはかみ合い、流体を接続部からの逸出または漏洩を起こさずにこれらの間に通すことができる。この接続部は緩みやすいかまたは離脱しやすいので、これらの管内を通る流体が逸出する可能性がある。化学療法処置のために使用される薬品などの、危険な薬品を使用するときには、流体が逸出する可能性があることは危険な問題となる。さらに、コネクタが係合されるときに流体が漏洩しない場合にでも、一旦、コネクタを離すと、コネクタの先端に残留する流体の残量液はなお危険なものとなり得る。この量はコネクタから逸出する量よりも少ないかもしれないが、これは尚、曝された人に害をもたらす重要な問題である。
【発明の開示】
【発明が解決しようとする課題】
【０００４】
したがってルアー接続部では、ルアーが互いに接続されるときに、流体物質が確実にその中に入っていることが必要である。また、ルアー接続部は、コネクタの使用者が離脱時にルアー先端表面に残る危険な薬品から保護されるように、雄雌接続部において雄ルアー・コネクタを密封することが必要である。
【０００５】
本発明の目的は、静脈注射またはその他の流体型コネクターに接続するための、雌ルアー弁と係合するための新しい改善された雄ルアー・コネクタ装置を提供することである。
【課題を解決するための手段】
【０００６】
本発明の一態様によれば、雄ルアー・コネクタ装置が、対応するコア・ロッド型雌ルアー弁との接続を確立するために提供される。この装置は、ハウジング、内部チャンバ、弾発性部材、および弁部材を含む。ハウジングは、外側管状部と内側管状部と第１および第２の首状領域とを有し、弁部材は、内側管状部の前端部を封じる先端を有する。弾発性部材は弾性状に転置可能であり、ハウジングの内側管状部の中に延在する。
【０００７】
雄ルアーは対応するコア・ロッドまたはカニューレ・雌ルアーの中に挿入され、これら２つは係合される。雌ルアーが雄ルアーに係合すると、雌ルアー弁のコア・ロッドは、まず雄ルアーの先端を押圧する。それにより先端が動き、第１首状領域において弁部材を変形させる。更なる係合が弁部材を動かし続けて、次いで第２の首状領域において弾発性部材を動かす。いったんルアーが完全に係合された位置に来ると、流体はルアーの間を流れることができ、入口を通って雌ルアーに入るか、又はこれから出ることができる。所望の場合には、雄ルアー弁はハウジング要素に含まれる必要はない。この替りに、これは組み込み式でもよく、さらにまた当業者なら、雄ルアーを他の囲いに含め得ることが認識できる。
【０００８】
本発明の別の態様によれば、弾発性部材と、内部チャンバと、弁部材とを含む雄ルアー・コネクタ装置が提供される。この実施例は、弁部材が弾発性部材とともに一体的に形成されるか、又は弾発性部材と接触することができることを除いて、前記態様と同一の機能を果たす。弾発性部材はエラストマー材料によって形成することができ、または、多くの異なる材料で形成されたばねとすることができる。次に内部チャンバは、一体に形成された部材によって密封される。適切な雌ルアー弁が雄ルアーと係合すると、一体に形成された部材は、２つのルアーの間に液体が流れるようにするために変形する。所望により、この実施例は代替案としてハウジングを含むこともできる。
【０００９】
更に別の態様として、カニューレまたはポストを含まない雌ルアーとともに作動できる雄ルアーを説明する。このルアーは、ハウジングと、第１の管状部材と、弾発性部材と、弁部材と、滑動可能なスリーブ部材とを含む。ハウジングは、外側管状壁と、ハウジングの内部で同軸的に延在する第１の管状部材とを有する。第１管状部材は、少なくとも１つの軸線方向に延びるスロットと、弁座を有する前端部とを有する。弁部材は、弁座の係合による密封のために弾発性部材の端部に位置する。弾発性部材は、軸線方向スロットを通じて半径方向外側に延在する少なくとも１つの案内部を有する。スリーブ部材は、スリーブが案内部を捕捉するように、第１管状部材と外側管状壁との上に滑動可能に取り付けられている。雌ルアーが雄ルアーに係合すると、雌ルアーのハウジングはスリーブに係合し、スリーブを後方に雄ルアーのハウジングの中へ滑らせる。これによって、弾発性部材と弁部材は後方へ引っ込んだ位置に押されて、液体が２つのルアーの間を流れるようになる。更にまたこの具体例では、ハウジング要素は存在する必要がない。替りに、雄ルアーは組み込み式でもよく、または他の形式の囲い内に含まれてもよい。
【発明の効果】
【００１０】
本明細書に記載の本発明の構成は多くの理由で有利である。雄ルアーが適切な雌ルアー弁と合致するかまたは離脱すると、雄コネクタは密封してあらゆる使用者を潜在的に危険な流体への露出から保護する。雄ルアーの端部に含まれる弁は自動閉鎖式であるから、これはルアーのいずれにおいても露出表面に残る流体の量を確実に最小限に抑える。この利点は、化学療法処置において使用される薬品などの危険な薬品を、ルアー上に決して残さないために役立つ。また血液などの体液も、潜在的に罹患した血液に曝されることを最小限にするためにルアーには残らない。弁設計では、ルアーの裂け目の数が最小限で先端部材が実質的に平坦であるため、相互の拭き掃除または片側の拭き掃除のいずれも可能である。さらにまた一具体例では、雄ルアーの構成は、雄ルアーと雌ルアーが離脱されるときにルアーの先端に真空効果を作り出すという別の利点をもたらす。この真空先端の特徴は、あらゆる表面の残留流体を最小限に抑えるように作用し、したがって、あらゆる種類の曝露を最小限に抑える。
【実施例】
【００１１】
本発明は、添付の図面を参照した本発明の例示的実施例の詳細な下記の説明からさらによく理解されよう。図面において、同様の部分には同様の符号が付けられている。
【００１２】
図１は、ルアー取付具の雄ルアーと雌ルアーとの接続の２つの構成要素の側面図である。取付け具は、既存の平坦頂の雌ルアー弁を有する雌ルアーと係合することを目的とする雄ルアー１０を含む。雌ルアー２４は、特定の形式には限定されないが、この図には例示的なルアーが示されている。ここに示された雌ルアーは、弁が閉じたものである。この雌ルアー２４は、カニューレまたはポスト２６を有するハウジング要素２８を含む。ハウジング２８の前端部の外側表面には、雌ルアー２４の雄ルアー１０との係合を可能にするねじ山３０がある。この実施例では、雄ルアー１０はハウジング要素１２を含む。ハウジング１２の内壁は、雌ルアー・コネクタの相補的ねじ山３０と係合するねじ山３２を含む。ハウジング１２は、前方に突き出た直径の小さな内側管状部１６を有し、これは第１首状領域３６と第２首状領域３８（図２を参照）を有する。内側管状部は、前開口部３３を有する内部チャンバ１３を画定する（図２を参照）。弁部材１８が、弾発性部材またはばね１４によって、延長部の中に付勢され、開口部３３を封じている。ばね１４は、チャンバ１３の遠位端部と弁部材１８との間で作用する。弁部材１８は、弾発性部分２０と前先端部材２２を含む。図１は、係合されていない位置における２つのルアー１０、２４を示す。カニューレまたはポストを含まない別の形式の雌ルアー弁がある。例としては、レインシング（Ｌｅｉｎｓｉｎｇ）による米国特許第５６７６３４６号およびウエルシュミット（Ｗｅｒｓｃｈｍｉｄｔ）による米国特許第５７８２８１６号がこれらの形式のルアー弁を図解している。
【００１３】
図２から図５までは、互いに係合するときの雄ルアー１０と雌ルアー２４とを示す。図２は、互いに完全に離脱しているときの２つのルアー１０、２４を示す。カニューレまたはポスト２６は、２つのルアーの間での流体の流入および流出のための開口部４０を有することもできる。他の流路装置（図示せず）も可能であって使用することもできる。カニューレまたはポスト２６はスリーブ３４内のチャンバの中に装架されている。このスリーブ３４はゴムまたは別の適当な弾発性材料で作ることができ、弁部材の止め具として働く。スリーブ３４は、図２の離脱位置では封じられている前端開口部３５を有する。雄ルアーは、第１首状領域３６と、第１首状領域３６の後方に間隔をあけて位置する第２首状領域３８とを有する。図３は、雌ルアー２４に挿入され始めた雄ルアー１０を示す。一旦、ねじ山３０、３２の係合が始まると、ハウジング１２の前端部３３は、開口部３５がカニューレ２６の端部で強制的に開かれるまで、スリーブ３４を押し戻す。次いで、カニューレまたはポスト２６は弁部材１８の先端に接触してこれを押し始めるので、カニューレまたはポスト２６は弁要素の前部分２２に置き換わる。この移動は、第１首状領域３６の密封部表面をその弁座から離し始める。先端部材２２が戻され始めるので、第２弾発性部分２０が潰されて弁の要素の空洞部１９を圧縮する。これにより第１首状領域３６が開封され、空洞１９の中に含まれる液体を排出される。この排出された液体は一時的に雌ルアー弁２４の中に流れる。この圧力が加えられるので、弁部材は圧縮されて、さらにチャンバ１３の中に押される。
【００１４】
図４は、雌ルアー２４と雄ルアー１０が一様に更に係合されたルアー部材の位置を示す。カニューレまたはポスト２６は更に先端部材２２を押し始め、第１弾発性部材１４を潰すので、第２首状領域３８は開封される。この時点で、図４において矢印で示すように、更に多くの液体が真空領域２１へのカニューレまたはポストの更なる挿入によって流される。カニューレまたはポスト２６の開口部４０によって、流体が雌ルアー２４に流入し、またこれから流出することができる。この排出された液体は、作用が反転されるときに再充填される容積を作る。
【００１５】
雄ルアー１０が雌ルアー弁２４から外されると、２つの弁が接続している間に排出された容積の液体は元の位置に戻され、こうして相対的な真空を作り出す。雌ルアー２４が雄ルアー１０から除去されると、第２首状領域３８によって作られた主な密封部はその弁座と接触する。これにより真空領域２１が上流の液体から隔離される。カニューレまたはポスト２６が引かれると、弾発性部分２０がその潰されていない自然の形状に戻るので、空洞１９が復元する。この復元が起こると、液体は空洞１９の中に引き込まれる。第２首状領域３８は閉じられているので、この液体は雄ルアー１０と雌ルアー２４との間の境界から引かれることになる。この効果は、カニューレまたはポスト２６が引かれるときに変位する、カニューレまたはポスト２６による容積によって強化される。作り出された相対真空は、第１首状領域３６の表面がその弁座に再び接触するまで、液体を真空領域の中へ引き入れようとする。
【００１６】
図５は、弁部材４２に一体的に接続されたばね１４と共に形成されていることを除いては、前記と同じ形式の２段弁を示す。ハウジング１２は内部スリーブ１６を含み、内部スリーブ１６の内部には内部チャンバ１３が位置している。この実施例の機能は、ばね１４を、弁部材４２と一体的に接続されたエラストマーまたは他の形式の材料で構成できることを除いて、前記の実施例と同じである。
【００１７】
図６および図７は、本発明の別の実施例による雄ルアーを示す。この装置は、一体的弾発性部材を有する一段ルアー弁である。この実施例では、雄ルアーは、雌ルアーの相補的ねじ山３０に係合するための、内壁にねじ山３２を有するハウジング１２を有する。内部チャンバ１３は、弾発性部材および先端と共に一体的に形成された弁部材４２によって密封される。したがって、この新しい弁部材４２は、すべての部材が別の弾発性部材を含むのではなく、単一物として形成されていることを除いて、前記の実施例におけるものと同じに機能を有する。この実施例は、雌ルアーが一旦、弁部材４２に係合すると、部材４２は前記のようにいくつかの異なる部片としてではなく、単一部片として移動する一段ルアー弁を示すものである。図７は、雌ルアー２４と係合して流体の流れを可能にする図６のルアーを示す。２つのルアー１０、２４が係合すると、雌ルアー２４のカニューレまたはポスト２６が弁部材４２を潰し、カニューレまたはポスト２６における開口部４０を介する、また弁部材４２の後端部における開口部４４を介する流体の流れを可能にする。
【００１８】
図８は、本発明の別の実施例を示す。この実施例では、雄ルアーのハウジング１２は前記の実施例のものと同様である。さらに、内部スリーブ１６の中に弾発性部材が入っている。しかしながらこの実施例では、弾発性部材の端部に含まれている弁は球４６として示されている。この球はさまざまな種類の材料で、たとえばエラストマー材料で作ることができる。さらにまた、チャンバ１３の前端開口部は、球状弁４６に適応するために部分球面弁座４７として例示されている。弾発性部材またはばね１４の端部に含まれている弁をさまざまな形状にすることが可能なことは、当業者には認識されよう。しかしながら、雄ルアー１０の先端の形状は、雌ルアー２４の先端の形状に対応するものであることが必要である。
【００１９】
図９および図１０は、変更された雄ルアー５０が前記の実施例の雌ルアー２４に解除可能に固定された、本発明の更に別の実施例による、変更されたコネクタを示す。雄ルアー５０は、円筒状外壁５２を有するハウジングと、後端部５３から円筒状ハウジングの中に突き出てハウジングの長手部に沿って延びる内側管状支持物５４とを含む。外壁５２は、雌ルアーのねじ山３０と係合するための内部ねじ山３２と、ハウジングの後端部５３から延び内部支持物５４より大きな直径を有し、ハウジングの前端部から外へ突き出ている。弾発性のスリーブまたは袋部材５６が、管状部材５５とその後端部における支持物５４との間に固定され、管状部材５５の中でその前端開口部５７へ前方に突き出ている。袋部材５６は前端開口部５８を有し、この前端開口部５８は、図９の延びた非接続位置にあるときには管状部材５５の内側方向に先細になった端部分によって密封される。袋部材５６の前端部分５８は、図９に示す位置において雄ルアーの端開口部５７を封じるための弁として作用する。
【００２０】
雄ルアーの管状部材５５は、部材５５と内壁５２との間に環状間隙を残すために、ハウジングの円筒状内壁５２よりも小さな直径を有する。滑りスリーブ６０は、この環状間隙の中で管状部材５５に滑動可能に取り付けられている。スリーブ６０は直径方向に対向する開口部６２を有し、管状部材５５は細長い軸線方向に延びる、対向するスロット６４を有する。内部袋部材またはスリーブ部材５６上の、反対方向に向いた翼部分または案内部分６５が、スロット６４を通じて開口部６２の中に半径方向外向きに突き出ている。したがって、スリーブが図９の完全に延びた位置にあるときに、これは滑りスリーブを前方に図示された位置へ引く。袋部材５６の波形部分６６は、袋部材５６の前端部と滑りスリーブ６０とを延長位置へ付勢するためのばねとして作用する。
【００２１】
図１０は、雄ルアー５０に接続された雌ルアー２４を示す。雌ルアー・ハウジングの前端部が雄ハウジングの円筒状壁にねじ込まれると、これは滑りスリーブ６０の前端部６７と係合し、スリーブしたがって袋部材５６の後方へ移動させ、袋部材の前端部分を管状部材５５の前端開口部との密封係合から外す。これにより、指摘したように、前端開口部５８がばねで開かれることができる。同時に、管状部材５５の前端部はスリーブ３４を雌ルアーの中で後方に移動させるので、これはカニューレ２６の端部を通過し、カニューレは管状部材の開いた前端部の中へ延びる。このことは、２つのルアーを通って、内側管状支持物と、袋部材５６の開放端部５８と、カニューレ２６における開口部４０とを介して流体が流れることを可能にする。ルアーが離されると、袋部材５６の圧縮された波形部分６６は、前端部分を戻すように動かし、管状部材５５の前端部と密封係合させ、あらゆる流体の漏洩を防止する。
【００２２】
図１１は、弾発性スリーブまたは袋部材５６が波形部分を持たず、代りに個別のばね部材６８を有することを除いて、図９と同様の別の滑り作動弁を示す図である。ばね部材６８は、たとえば金属製またはエラストマー材料製など、任意の形式が可能である。雄ルアー弁の機能は同じであり、単にこれは前記の波形部材に代わるばね部材６８である。
【００２３】
図１２は、カニューレまたはポストを持たない雌ルアー弁と共に使用するための代替弁を示す、図１０と同様の図である。ハウジング２８の前端部の外側表面は、雄ルアー弁の滑りスリーブ６０の前端部６７と係合する。雌ルアー弁のハウジング２８の前端部は滑りスリーブ６０を更に動かし続けるので、袋部材５６は後方に移動し続け、袋部材の前端部分を動かして、管状部材５５の前端開口部との密封係合から外す。これは、前端開口部５８がばねを開放することを可能にする。これは、２つのルアーを通って、内側管状支持物と、袋部材５６の開放端部５８とを介して流体が流れることを可能にする。一旦、ルアーが分離されると、前記のような密封係合が再び生じる。
【００２４】
図１３は、ハウジング要素のない雄ルアー弁を示す図である。この図は、雄ルアー弁がハウジング・エレメントの中に含まれず、代わりに自立式にすることができる点以外は、図２と同様の図である。しかしながら、雄ルアー弁の機能は、雌ルアー・ハウジングとの係合が雄ルアー・ハウジングによって行われないことを除いては、図２に関して説明したものと同じである。
【００２５】
前記の雄ルアーの様々な実施例は、雄ルアーと雌ルアーが分離するときに雄ルアーの端部開口部の自動的に密封させ、コネクタを通じて流れる潜在的に危険な流体と接触する操作者のリスクを少なくする。
【００２６】
本発明のいくつかの例示的実施例を単に例として説明したが、添付の特許請求の範囲に定義された本発明の範囲を逸脱することなく、開示された実施例に変更を行ってもよいことは、当業者には理解されよう。
【図面の簡単な説明】
【００２７】
【図１】ルアー取付け具の雄ルアーが雌ルアーに接続される、２つの構成要素の側面図。
【図２】図１の線２−２に沿って取った拡大断面図。
【図３】構成部分を部分的に拡大した図２と同様の断面図。
【図４】構成部分を完全に拡大した図３と同様の断面図。
【図５】別の統合されたばね部材を示す、図２の一部分と同様の断面図。
【図６】別の一段弁を示す、図５と同様の断面図。
【図７】開かれた弁を示す、図６と同様の断面図。
【図８】球型弁を示す、図５と同様の断面図。
【図９】別の滑り作動弁を示す断面図。
【図１０】開かれた弁を示す、図９と同様の断面図。
【図１１】別の滑り作動弁を示す、図９と同様の断面図。
【図１２】カニューレまたはポストのない雌ルアーの弁と共に使用するための別の弁を示す、図１０と同様の断面図。
【図１３】ハウジング要素を含まない雄ルアーの弁を示す断面図。
【国際公開パンフレット】
2004537381.tif 000003
2004537381.tif 000004
2004537381.tif 000005
2004537381.tif 000006
2004537381.tif 000007
2004537381.tif 000008
2004537381.tif 000009
2004537381.tif 000010
2004537381.tif 000011
2004537381.tif 000012
2004537381.tif 000013
2004537381.tif 000014
2004537381.tif 000015
2004537381.tif 000016
2004537381.tif 000017
2004537381.tif 000018
2004537381.tif 000019
2004537381.tif 000020
2004537381.tif 000021
2004537381.tif 000022
2004537381.tif 000023
2004537381.tif 000024
2004537381.tif 000025
2004537381.tif 000026
2004537381.tif 000027
2004537381.tif 000028
2004537381.tif 000029
【国際公開パンフレット（コレクトバージョン）】
2004537381.tif 000030
【国際調査報告】
2004537381.tif 000031
2004537381.tif 000032
2004537381.tif 000033